(57)【要約】    【課題】  密封性の低下が抑制された、収容部から被収容物を取り出し易いブリスター包装体を提供する。    【解決手段】  被収容物を収容した収容部と該収容部の周囲に配されたフランジ部とを有する成型シートと、前記フランジ部に接着されることにより前記収容部を密封した蓋材とを備え、前記フランジ部には、突出部が形成され、前記突出部よりも外側に、前記蓋材と接着されていない非接着領域または他の接着領域よりも弱い接着力で前記蓋材と接着された弱接着領域が形成され、前記突出部よりも外側に位置する前記非接着領域または弱接着領域に、スリットが形成されてなるブリスター包装体。【選択図】  図１
2015093685.tif 000002
【特許請求の範囲】
【請求項１】
被収容物を収容した収容部と該収容部の周囲に配されたフランジ部とを有する成型シートと、
前記フランジ部に接着されることにより前記収容部を密封した蓋材とを備え、
前記フランジ部には、突出部が形成され、
前記突出部よりも外側に、前記蓋材と接着されていない非接着領域または他の接着領域よりも弱い接着力で前記蓋材と接着された弱接着領域が形成され、
前記突出部よりも外側に位置する前記非接着領域または弱接着領域に、スリットが形成されてなるブリスター包装体。
【請求項２】
前記非接着領域または弱接着領域と、前記突出部と、前記スリットとが、前記収容部を囲むように湾曲して形成されていることを特徴とする請求項１に記載のブリスター包装体。
【請求項３】
前記スリットが、その両端縁を結ぶ仮想直線が前記収容部を横断するように形成されていることを特徴とする請求項２に記載のブリスター包装体。
【請求項４】
前記突出部が、その両端縁が前記スリットの両端縁を結ぶ仮想直線よりも延出しているように形成されていることを特徴とする請求項２または３に記載のブリスター包装体。
【請求項５】
前記成型シートには、該成型シートを折れ曲がり易くする第１の易折り曲げ加工部が形成されていることを特徴とする請求項１〜４のいずれかに記載のブリスター包装体。
【請求項６】
前記フランジ部と前記蓋材とをそれぞれの外側から挟む台紙をさらに備え、
前記台紙は、前記収容部、突出部及びスリットを露出させる開口部を有することを特徴とする請求項１〜５のいずれかに記載のブリスター包装体。
【請求項７】
前記台紙には、該台紙を折れ曲がり易くする第２の易折り曲げ加工部が形成されていることを特徴とする請求項６に記載のブリスター包装体。
【発明の詳細な説明】
【技術分野】
【０００１】
本発明は、錠剤やカプセル等の被収容物を収容するブリスター包装体に関する。
【背景技術】
【０００２】
一般にブリスター包装体は、錠剤やカプセル等の被収容物を収容する収容部が形成された樹脂製の成型シートと、該成型シートのフランジ部に接着されることにより収容部を密封する蓋材とから構成されている。かかるブリスター包装体は、フランジ部から蓋材を剥離（ピール）することにより開封されて、被収容物が取り出されるように構成されている。
【０００３】
この種のブリスター包装体においては、蓋材を引き剥がすために、比較的大きな力が必要とされ、また、細かい手指の作業も必要とされる。このため、かかるブリスター包装体は開封し難く、従って、収容部から被収容物を取り出し難い。
【０００４】
そこで、収容部から被収容物を取り出し易くするブリスター包装体が提案されている。例えば、成型シートのフランジ部の接着領域に収容部を囲むようにスリットが形成され、該スリットよりも外側（収容部とは反対の側）に凸状の掴み部（突出部）が形成されてなるブリスター包装体が開示されている。このブリスター包装体は、以下のようにして開封されるようになっている。すなわち、突出部を一方の手指で掴み、スリットを挟んで突出部とは反対の側（内側）に位置する成型シートの部分を他方の手指で掴み、蓋材同士が接近するように成型シートを折り曲げることによって、フランジ部におけるスリットよりも内側（収容部側）の部分は形状を保持して折れ曲がらず、一方、スリットよりも外側（収容部とは反対の側）の部分は蓋材と共に折れ曲がろうとし、その結果、上記内側の部分から蓋材を剥離することができ、収容部を開封し得るようになっている。
【先行技術文献】
【特許文献】
【０００５】
【特許文献１】実用新案登録第２５５４９４６号公報
【発明の概要】
【発明が解決しようとする課題】
【０００６】
しかし、上記したブリスター包装体では、収容部と突出部との間にスリットが形成されているため、バリア性、すなわち密封性が低下するおそれがある。
また、成型シートのフランジ部が比較的薄い場合には、突出部の折れ曲がりに追従して、スリットよりも内側の部分も折れ曲がり、スリットを境界として上記内側の部分と上記外側の部分とが離間せず、開封が困難となり、収容部から被収容物を取り出すことが困難となるおそれもある。
【０００７】
上記事情に鑑み、本発明は、密封性の低下が抑制された、収容部から被収容物を取り出し易いブリスター包装体を提供することを課題とする。
【課題を解決するための手段】
【０００８】
本発明に係るブリスター包装体は、
被収容物を収容した収容部と該収容部の周囲に配されたフランジ部とを有する成型シートと、
前記フランジ部に接着されることにより前記収容部を密封した蓋材とを備え、
前記フランジ部には、突出部が形成され、
前記突出部よりも外側に、前記蓋材と接着されていない非接着領域または他の接着領域よりも弱い接着力で前記蓋材と接着された弱接着領域が形成され、
前記突出部よりも外側に位置する前記非接着領域または弱接着領域に、スリットが形成されてなる。
【０００９】
ここで、「他の接着領域よりも弱い接着力で前記蓋材と接着された弱接着領域」とは、他の接着領域の任意の４箇所の平均接着力よりも、弱い接着力で蓋材と接着された領域を意味する。
【００１０】
かかる構成によれば、スリットよりも外側（収容部と反対側）の部分（外側部分）を一方の手指等で掴み、スリットよりも内側（収容部側）の部分（内側部分）を他方の手指等で掴み、蓋材同士が近づくように成型シートを折り曲げたとき、上記内側部分は突出部によって補強されて折れ曲がらないのに対し、外側部分は上記内側部分から離間するように折れ曲がる。このとき、上記外側部分の折れ曲がりに蓋材が追従するため、上記内側部分に接着された蓋材を剥離させることができ、これにより、収容部を開封して、収容部から被収容物を取り出すことができる。
ここで、スリットが突出部よりも外側に形成されているため、スリットが突出部よりも内側に形成されている場合よりも、バリア性、すなわち密封性の低下を防止することができる。
また、非接着領域または弱接着領域にスリットが形成されているため、接着領域にスリットが形成されている場合よりも、成型シートを上記のように折り曲げたときに上記外側部分が上記内側部分から離間し易くなる。これにより、収容部を開封し易くできる。
従って、密封性の低下が抑制された、収容部から被収容物を取り出し易いブリスター包装体が得られる。
【００１１】
また、上記構成のブリスター包装体においては、
前記非接着領域または弱接着領域と、前記突出部と、前記スリットとが、前記収容部を囲むように湾曲して形成されていることが好ましい。
【００１２】
かかる構成によれば、突出部とスリットとが収容部を囲むように湾曲して形成されていることによって、スリットのどの位置を境界として（どの位置に力を加えて）成型シートを折り曲げた場合であっても、局所的に上記内側部分から上記外側部分を離間させ易くすることができる。そして、このように局所的に離間させた後、順次、内側部分から外側部分を離間させて、上記内側部分に接着された蓋材の剥離を進めることができる。
また、非接着領域または弱接着領域が収容部を囲むように湾曲して形成されていることによって、非接着領域または弱接着領域よりも内側の接着領域の外周縁も、収容部を囲むように湾曲している形状となる。これにより、上記と同様、上記外周縁のどの位置から接着領域の剥離が開始されたとしても、局所的に上記内側部分から蓋材を剥離させ易くすることができる。そして、その後、順次、上記内側部分に接着された蓋材の剥離を進めることができる。
従って、収容部を、より開封し易くできる。
【００１３】
また、上記構成のブリスター包装体においては、
前記スリットが、その両端縁を結ぶ仮想直線が前記収容部を横断するように形成されていることが好ましい。
【００１４】
かかる構成によれば、スリットが、その両端縁を結ぶ仮想直線が収容部を横断するように形成されていることによって、成型シートを折り曲げるだけで収容部を開封することができ、しかも、収容部の一部分を開封し、他の部分を開封しないようにすることができる。これにより、収容部から被収容物を取り出すことを可能としつつも、被収容物が不意に飛び出してしまうことを抑制できる。
【００１５】
また、上記構成のブリスター包装体においては、
前記突出部が、その両端縁が前記スリットの両端縁を結ぶ仮想直線よりも延出しているように形成されていることが好ましい。
【００１６】
かかる構成によれば、突出部が、その両端縁がスリットの両端縁を結ぶ仮想直線よりも延出しているように形成されていることによって、成型シートを折り曲げたとき、突出部がより折れ曲がり難くなる。これにより、突出部が成型シートの折れ曲がりに追従することをより抑制することができるため、収容部を、より開封し易くできる。
【００１７】
また、上記構成のブリスター包装体においては、
前記成型シートには、該成型シートを折れ曲がり易くする第１の易折り曲げ加工部が形成されていることが好ましい。
【００１８】
かかる構成によれば、成型シートが折り曲がり易くなるため、収容部を、より開封し易くできる。
【００１９】
また、上記構成のブリスター包装体においては、
前記フランジ部と前記蓋材とをそれぞれの外側から挟む台紙をさらに備え、
前記台紙は、前記収容部、突出部及びスリットを露出させる開口部を有することが好ましい。
【００２０】
かかる構成によれば、上記内側部分を突出部で補強しつつ、上記外側部分を台紙で補強し得る。これにより、成型シートがより確実に折れ曲がり易くなるため、収容部を、より開封し易くできる。
【００２１】
前記台紙には、該台紙を折れ曲がり易くする第２の易折り曲げ加工部が形成されていることが好ましい。
【００２２】
かかる構成によれば、台紙が折れ曲がり易くなるため、収容部を、より開封し易くできる。
【発明の効果】
【００２３】
以上のように、本発明によれば、密封性の低下が抑制された、収容部から被収容物を取り出し易いブリスター包装体を提供することができる。
【図面の簡単な説明】
【００２４】
【図１】本発明の第１実施形態に係るブリスター包装体の概略上面図
【図２】本実施形態に係るブリスター包装体の概略側面図
【図３】本実施形態に係るブリスター包装体を開封する前の状態を示す概略側面図
【図４】本実施形態に係るブリスター包装体を開封した状態を示す概略側面図
【図５】本実施形態に係るブリスター包装体を開封した状態を示す概略斜視図
【図６】本実施形態に係るブリスター包装体の突出部の他の態様を示す概略上面図
【図７】本発明の第２実施形態に係るブリスター包装体の概略上面図
【図８】本実施形態に係るブリスター包装体の概略側面図
【図９】本実施形態に係るブリスター包装体を開封した状態を示す概略斜視図
【発明を実施するための形態】
【００２５】
以下、図面を参照しつつ、本発明の実施形態に係るブリスター包装体について説明する。
【００２６】
まず、本発明の第１実施形態に係るブリスター包装体について説明する。
【００２７】
図１、２に示すように、本実施形態のブリスター包装体１は、被収容物３０を収容した収容部５と該収容部５の周囲に配されたフランジ部７とを有する成型シート３と、フランジ部７の接着領域９に接着されることにより収容部５を密封した蓋材１９とを備えている。
また、ブリスター包装体１は、フランジ部７に突出部１３が形成されてなる。
さらに、ブリスター包装体１は、突出部１３よりも外側に、蓋材１９と接着されていない非接着領域または接着領域９よりも接着力が弱い弱接着領域１１が形成され、突出部１３の外側に位置する非接着領域または弱接着領域１１に、スリット１５が形成されてなる。
【００２８】
なお、図１、図２では、非接着等領域または弱接着領域のうち、非接着領域が形成された態様を示すが、本発明においては、弱接着領域が形成された態様を採用してもよく、かかる態様を採用した場合であっても、非接着領域が形成された態様と同様の作用効果を奏する。このように弱接着領域を採用する場合、該弱接着領域の接着力は、接着領域９の任意の４箇所の平均接着力の１／８以下であることが好ましい。また、弱接着領域自体の接着力が、９Ｎ／１５ｍｍ以下であることが好ましい。
【００２９】
また、ブリスター包装体１は、成型シート３に、該成型シート３を折れ曲がり易くする第１の易折り曲げ加工部１７が形成されてなる。
【００３０】
本実施形態では、被収容物３０が固形状である場合、より具体的には円形状の経口固形製剤としての錠剤である場合について説明するが、その他、被収容物３０は、ゼリーや軟膏等の半固形状であってもよく、固形状である場合には、楕円形状の錠剤であっても、カプセル等であってもよい。これらのうち、被収容物３０は、錠剤またはカプセルが好ましい。また、被収容物３０の大きさも、特に限定されるものではなく適宜設定することができる。例えば、被収容物３０が経口固形製剤である場合、服用者の喉を通過し得る程度の大きさに適宜設定することができる。
【００３１】
成型シート３の形成材料としては、従来公知の樹脂材料を用いて形成された樹脂シートが挙げられる。
かかる成型シート３のフランジ部７の厚みは、１００〜１２００μｍであることが好適であり、２００〜４００μｍであることがより好適である。
かかる厚みが１２００μｍ以下である場合には、成型シート３を折り曲げたときに比較的撓み易くなり、スリット１５が成型シート３の折れ曲がりに追従して収容部５が開封し難くなるおそれがあるが、このように撓み易い成型シート３であっても、折り曲げへのスリット１５の追従を抑制して、収容部５を開封し易くできる。
一方、かかる厚みが１００μｍ以上であることによって、成型シート３が過度に撓み易くなることを抑制できる。
【００３２】
成型シート３には、被収容物３０を収容するための収容部５が形成されている。ここでは、収容部５が１個形成されている態様が示されるが、１つの成型シート３に形成される収容部５の数量は、特に限定されるものではなく適宜設定され得る。例えば、収容部５が、成型シート３の長手方向に沿って５個ずつ、短手方向に沿って２個ずつ形成されているような態様を採用することもできる。このような場合、フランジ部７には、長手方向における収容部５の間に、短手方向に沿って延在するように配置されたミシン目やスリットが形成されていてもよい。
【００３３】
フランジ部７の接着領域９は、蓋材１９が接着されて蓋材１９とで収容部５を密封するものである。この接着領域９は、図１においてハッチングで示すように、収容部５の周囲に形成されている。また、接着領域９は、非接着領域１１と収容部５との側に位置する第１の接着領域９ａと、残りの第２の接着領域（図１において非接着領域１１よりも左側の領域、及び、非接着領域１１よりも外周側の領域）９ｂと有している。
【００３４】
第１の接着領域９ａは、その外周縁が収容部５を囲むように湾曲した形状を有している。より具体的には、収容部５側から非接着領域１１に向かって幅が狭くなるように湾曲した形状を有している。
【００３５】
非接着領域１１は、蓋材１９と接着されていないフランジ部７の領域であり、第１の接着領域９ａの外側に隣接して、突出部１３から突出部１３よりも外側にわたって形成されている。より具体的には、非接着領域１１は、突出部１３よりも内側から外側にまでわたって形成されている。換言すれば、非接着領域１１内に突出部１３が形成されている。
なお、本発明では、突出部１３よりも外側に非接着領域１１が存在すればよく、非接着領域１１が存在する範囲は特に限定されるものではない。
また、本実施形態では、非接着領域１１は、収容部５を囲むように湾曲して形成されている。より具体的には、非接着領域１１は、半円の円弧状に形成されている。
【００３６】
突出部１３は、成型シート３を補強するものであり、成型シート３を折り曲げたとき、突出部１３が形成されていない場合よりも、フランジ部７におけるスリット１５よりも内側に位置する部分（内側部分）２１（図３〜５参照）を撓み難くするものである。かかる突出部１３は、非接着領域１１内に形成されるようになっている。
本実施形態では、突出部１３は、収容部５を囲むように湾曲して形成されている。より具体的には、突出部１３は、非接着領域１１の外周縁に沿うように湾曲して形成されている。すなわち、非接着領域１１と同心な半円の円弧状に形成されている。また、本実施形態では、突出部１３は、スリット１５に沿って形成されている。
また、本実施形態では、かかる突出部１３は、該突出部１３の両端縁を結ぶ仮想直線Ｓが収容部５を横断するように形成されている。なお、本実施形態では、突出部１３がこのように形成されている態様を示すが、本発明では、突出部は、この態様に限定されるものではない。
【００３７】
スリット１５は、該スリット１５を境界として、フランジ部７を上記内側部分２１と、スリット１５よりも外側（収容部５と反対の側）の部分（外側部分）２３（図３〜５参照）とに部分的に分断するものである。かかるスリット１５は、非接着領域１１内にて、例えばカッター等によってフランジ部７を完全に切り込むことによって形成されるようになっている。
本実施形態では、スリット１５は、収容部５を囲むように湾曲して形成されている。より具体的には、スリット１５は、突出部１３に沿うように湾曲して形成されている。すなわち、突出部１３と同心な半円の円弧状に形成されている。また、本実施形態では、スリット１５は、非接着領域１１の外周縁に沿って形成されている。
また、本実施形態では、かかるスリット１５は、該スリット１５の両端縁を結ぶ仮想直線Ｓが収容部５を横断するように形成されている。なお、本実施形態では、スリット１５の両端縁を結ぶ仮想直線Ｓと、突出部１３の両端縁を結ぶ仮想直線とが重なるように、スリット１５（及び突出部１３）が形成されている。なお、本実施形態では、スリット１５がこのように形成されている態様を示すが、本発明では、スリットは、この態様に限定されるものではない。
かかるスリット１５の突出部１３からの距離は、５０ｍｍ以下が好ましく、１０ｍｍ以下がより好ましい。
【００３８】
第１の易折り曲げ加工部１７は、スリット１５の両端縁の側方であって、成型シート３の両端縁に形成されている。これにより、成型シート３は、仮想直線Ｓが折り曲げ線となるように折り曲げられるようになっている。本実施形態では、第１の易折り曲げ加工部１７が、切り欠き状に形成された態様を示すが、本発明においては、かかる第１の易折り曲げ加工部１７が、その他、ノッチ、ミシン目、ハーフスリット、罫線等に形成された態様を採用してもよい。
【００３９】
蓋材１９は、成型シート３のフランジ部７と接着されて、収容部５を密封するものである。
かかる蓋材１９形成材料としては、例えば、蓋材として従来公知の形成材料が挙げられる。また、蓋材１９の厚みは、被収容物３０等に応じて適宜設定することができる。
【００４０】
次に、本実施形態のブリスター包装体１の製造方法について説明する。まず、真空成形等によって収容部５及び突出部１３を有するシートを成型（形成）する。次に、得られたシートにカッター等によってスリット１５を形成して、成型シート３を形成する。次に、収容部５に被収容物３０を収容する。次に、成型シート３のフランジ部７に蓋材１９を重ね合わせ、金型等を用いて、スリット１５が位置する所定の領域が加熱されないようにしながら、フランジ部７と蓋材１９との重ね合わせ部分を加熱及び加圧して、フランジ部７に蓋材１９を接着させる。これにより、被収容物３０が収容された状態で収容部５を密封する。そして、得られた包装体の成型シート３を、必要に応じて刃物等で所望の形状に切り抜く。このようにして、ブリスター包装体１を製造する。
【００４１】
次に、ブリスター包装体１からの被収容物３０の取り出し方法の一例について説明する。図３に示すように、成型シート３におけるスリット１５よりも外側（図３の右側）の部分（外側部分）２３を一方の手指等で掴み、スリット１５を挟んで当該外側部分２３と反対の側（図３の左側）の部分を他方の手指等で掴み、手指で掴んだ蓋材１９同士が近づくように折り曲げることにより、図４及び図５に示すように、スリット１５を境界として上記内側部分２１から離間するように上記外側部分２３が折れ曲がり、かかる外側部分２３の折れ曲がりに蓋材１９が追従する。これにより、上記内側部分２１に接着された蓋材１９を剥離させることができ、収容部５を開封することができる。
なお、ブリスター包装体１から被収容物３０を取り出す際に、成型シート３を掴む手指の位置は、スリット１５を挟んで外側と内側であれば、図３及び図４で示す位置以外の位置であってもよい。
【００４２】
上記の通り、本実施形態のブリスター包装体１は、被収容物３０を収容した収容部５と該収容部５の周囲に配されたフランジ部７とを有する成型シート３と、フランジ部７に接着されることにより収容部５を密封した蓋材１９とを備え、フランジ部７に、突出部１３が形成され、突出部１３よりも外側に（ここでは突出部１３から該突出部１３よりも外側にわたって）、蓋材１９と接着されていない非接着領域または他の接着領域９よりも弱い接着力で蓋材１９と接着された弱接着領域（ここでは非接着領域）１１が形成され、突出部１３よりも外側に位置する非接着領域または弱接着領域（ここでは非接着領域）１１に、スリット１５が形成されてなる。
【００４３】
かかる構成によれば、スリット１５が突出部１３よりも外側に形成されているため、スリット１５が突出部１３よりも内側に形成されている場合よりも、バリア性、すなわち密封性の低下が防止される。
また、非接着領域１１（または弱接着領域）にスリット１５が形成されているため、接着領域９にスリットが形成されている場合よりも、図４に示すように成型シート３を折り曲げたときに上記外側部分２３が上記内側部分２１から離間し易くなるため、収容部５を開封し易くできる。
従って、密封性の低下が抑制された、収容部５から被収容物３０を取り出し易いブリスター包装体１が得られる。
【００４４】
また、本実施形態のブリスター包装体１においては、非接着領域または弱接着領域（ここでは非接着領域）１１と、突出部１３と、スリット１５とが、収容部５を囲むように湾曲して形成されている。
【００４５】
かかる構成によれば、突出部１３とスリット１５とが収容部５を囲むように湾曲して形成されていることによって、スリット１５のどの位置を境界として（どの位置に力を加えて）成型シート３を折り曲げた場合であっても、比較的局所的に、上記内側部分２１から上記外側部分２３を離間させ易くすることができる。そして、このように局所的に離間させた後、順次、内側部分２１から外側部分２３を離間させて、上記内側部分２１に接着された蓋材の剥離を進めることができる。
また、非接着領域または弱接着領域（ここでは非接着領域）１１が収容部５を囲むように湾曲して形成されていることによって、非接着領域または弱接着領域（ここでは非接着領域）１１よりも内側の接着領域（第１の接着領域９ａ）の外周縁も、収容部５を囲むように湾曲している形状となる。これにより、上記と同様、上記外周縁のどの位置から接着領域（第１の接着領域９ａ）の剥離が開始されたとしても、比較的局所的に、上記内側部分２１から蓋材を剥離させ易くすることができる。そして、その後、順次、上記内側部分２１に接着された蓋材の剥離を進めることができる。
従って、収容部５を、より開封し易くできる。
【００４６】
さらに、本実施形態では、第１の接着領域９ａが、収容部５側から非接着領域１１に向かって幅が狭くなるように湾曲した形状を有していることにより、特に図１の右側から左側に向かって第１の接着領域９ａを剥離する場合に、剥離起点を形成し易くなる。
【００４７】
また、本実施形態のブリスター包装体１においては、スリット１５が、各両端縁を結ぶ仮想直線Ｓが収容部５を横断するように形成されている。
【００４８】
かかる構成によれば、スリット１５が、各両端縁を結ぶ仮想直線Ｓが収容部５を横断するように形成されていることによって、成型シート３を折り曲げるだけで収容部５を開封することができ、しかも、収容部５の一部分を開封し、他の部分を開封しないようにすることができる。これにより、収容部５から被収容物３０を取り出すことを可能としつつも、被収容物３０が不意に飛び出してしまうことを抑制できる。
【００４９】
また、図１〜図５の態様に示すように、本実施形態では、突出部１３が、その両端縁がスリット１５の両端縁を結ぶ仮想直線Ｓ上に配されるように形成された態様を示すが、本発明では、かかる突出部３の両端縁の配置は、かかる態様に限定されるものではない。例えば、その他、図６に示すように、突出部３が、その両端縁がスリット１５の両端縁を結ぶ仮想直線Ｓよりも延出しているように形成されていてもよい。このように、突出部１３が、その両端縁がスリット１５の両端縁を結ぶ仮想直線Ｓよりも延出しているように形成されていることによって、成型シート３を折り曲げたとき、突出部１３がより折れ曲がり難くなる。これにより、突出部１３が成型シート３の折れ曲がりに追従することをより抑制できるため、収容部５を、より開封し易くできる。
【００５０】
また、本実施形態のブリスター包装体１においては、成型シート３に、該成型シート３を折れ曲がり易くする第１の易折り曲げ加工部１７が形成されている。
【００５１】
かかる構成によれば、成型シート３が折り曲がり易くなるため、収容部５を、より開封し易くできる。
【００５２】
次に、本発明の第２実施形態のブリスター包装体について説明する。第１実施形態と共通する部分には同一の符号を付して説明を繰り返さない。
【００５３】
図７、図８に示すように、本実施形態のブリスター包装体１は、フランジ部７と蓋材１９とをそれぞれの外側から挟む台紙３１をさらに備えており、台紙３１は、収容部５、突出部１３及びスリット１５を露出させる開口部３３を有してなる。また、ブリスター包装体１は、台紙３１に、該台紙３１を折れ曲がり易くする第２の易折り曲げ加工部３５が形成されてなる。
その他の構成は第１実施形態と同じであるため、説明を繰り返さない。
【００５４】
台紙３１は、例えば２枚の紙製シートとして第１の紙製シート３１ａ及び第２の紙製シシート３１ｂを有しており、これらシートによってフランジ部７と蓋材１９とをそれぞれの外側から挟むようになっている。より具体的には、第１の紙製シート３１ａがフランジ部７側、第２の紙製シート３１ｂが蓋材１９側に配されて、これらによってフランジ部７及び蓋材１９を挟むように構成されている。なお、本発明では、その他、台紙３１が、開口部を有する１枚の紙製シートを有し、該１枚の紙製シートを折り曲げて、開口部から収容部５、突出部１３及びスリット１５を露出させつつ、フランジ部７と蓋材１９とをそれぞれの外側から挟むように構成されていてもよい。
【００５５】
図７に示すように、第１の紙製シート３１ａは、ブリスター包装体１の収容部５、突出部１３及びスリット１５を露出させる半円形状の開口部３３を有している。
また、第２の紙製シート３１ｂは、第１の紙製シート３１ａと同じ大きさに形成されている。
【００５６】
また、第２の易折り曲げ加工部３５は、突出部１３及びスリット１５の両端縁の側方であって、台紙３１の両端縁に形成されている。本実施形態では、第２の易折り曲げ加工部３５は、第１の紙製シート３１ａに形成された態様を示すが、本発明においては、その他、第２の易折り曲げ加工部が、第２の紙製シート３１ｂに形成された態様を採用しても、第１及び第２の紙製シート３１ａ、３１ｂの両方に形成された態様を採用してもよい。
本実施形態では、第２の易折り曲げ加工部３５は、ブリスター包装体１の第１の易折り曲げ加工部１７と重なる位置に形成されている。
また、第２の易折り曲げ加工部３５は、図７に示すように、ミシン目であっても、その他、ハーフスリット、罫線等であってもよい。
【００５７】
本実施形態のブリスター包装体１は、第１の紙製シート３１ａの開口部３３から収容部５、突出部１３及びスリット１５を露出させながら、第１の紙製シート３１ａと第２の紙製シート３１ｂとでブリスター包装体１を挟み、これらを従来公知の接着剤等で貼り合せることによって、製造することができる。
【００５８】
本実施形態のブリスター包装体１は、図８に示す状態から図９に示す状態となるように折り曲げることによって、上記したのと同様に、フランジ部７における上記スリット１５よりも内側の部分（内側部分）２１は折れ曲がらないで開口部３３から外側に突出する一方、スリット１５よりも外側の部分（外側部分２３、図５参照）は台紙３１と共に折れ曲がるため、この折れ曲がりに蓋材１９が追随して、上記内側部分２１に接着された蓋材１９が剥離され、収容部５が開封される。
【００５９】
本実施形態のブリスター包装体１によれば、収容部５、突出部１３及びスリット１５を露出させる開口部３３を有し、フランジ部７と蓋材１９とをそれぞれの外側から挟む台紙３１を備えたことによって、上記内側部分２１を突出部１３で補強しつつ、上記外側部分２３を台紙３１で補強し得る。これにより、成型シート３がより確実に折れ曲がり易くなるため、収容部５を、より開封し易くできる。
【００６０】
また、本実施形態のブリスター包装体１においては、台紙３１に、該台紙３１を折れ曲がり易くする第２の易折り曲げ加工部３５が形成されているため、台紙３１が折れ曲がり易くなり、収容部５を、より開封し易くできる。
【００６１】
以上のように本発明の実施形態について説明したが、本発明は、上記実施形態に特に限定されるものではなく、本発明の意図する範囲内において適宜設計変更することが可能である。
【符号の説明】
【００６２】
１：ブリスター包装体、３：成型シート、５：収容部、７：フランジ部、９：接着領域、９ａ：第１の接着領域、９ｂ：第２の接着領域、１１：非接着領域または弱接着領域、１３：突出部、１５：スリット、１７：第１の易折り曲げ加工部、２１：内側部分、２３：外側部分、３０：被収容物、３１：台紙、３１ａ：第１の紙製シート、３１ｂ：第２の紙製シート、３３：開口部、３５：第２の易折り曲げ加工部
【図１】
2015093685.tif 000003
【図２】
2015093685.tif 000004
【図３】
2015093685.tif 000005
【図４】
2015093685.tif 000006
【図５】
2015093685.tif 000007
【図６】
2015093685.tif 000008
【図７】
2015093685.tif 000009
【図８】
2015093685.tif 000010
【図９】
2015093685.tif 000011
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
被収容物を収容した収容部と該収容部の周囲に配されたフランジ部とを有する成型シートと、
前記フランジ部に接着されることにより前記収容部を密封した蓋材とを備え、
前記フランジ部には、突出部が形成され、
前記突出部よりも外側に、前記蓋材と接着されていない非接着領域または他の接着領域よりも弱い接着力で前記蓋材と接着された弱接着領域が形成され、
前記突出部よりも外側に位置する前記非接着領域または弱接着領域に、前記フランジ部を内側部分と外側部分とに部分的に分断するスリットが形成されてなるブリスター包装体であって、
前記フランジ部の前記外側部分が前記スリットを境界として前記フランジ部の前記内側部分から離間するように前記成型シートを折り曲げることにより、前記フランジ部の前記外側部分の折れ曲がりに追従して前記蓋材が剥離され、それによって前記収容部が開封される、ブリスター包装体。
【請求項２】
前記非接着領域または弱接着領域と、前記突出部と、前記スリットとが、前記収容部を囲むように湾曲して形成されていることを特徴とする請求項１に記載のブリスター包装体。
【請求項３】
前記スリットが、その両端縁を結ぶ仮想直線が前記収容部を横断するように形成されていることを特徴とする請求項２に記載のブリスター包装体。
【請求項４】
前記突出部が、その両端縁が前記スリットの両端縁を結ぶ仮想直線よりも延出しているように形成されていることを特徴とする請求項２または３に記載のブリスター包装体。
【請求項５】
前記成型シートには、該成型シートを折れ曲がり易くする第１の易折り曲げ加工部が形成されていることを特徴とする請求項１〜４のいずれかに記載のブリスター包装体。
【請求項６】
前記フランジ部と前記蓋材とをそれぞれの外側から挟む台紙をさらに備え、
前記台紙は、前記収容部、突出部及びスリットを露出させる開口部を有することを特徴とする請求項１〜５のいずれかに記載のブリスター包装体。
【請求項７】
前記台紙には、該台紙を折れ曲がり易くする第２の易折り曲げ加工部が形成されていることを特徴とする請求項６に記載のブリスター包装体。
【手続補正２】
【補正対象書類名】明細書
【補正対象項目名】０００８
【補正方法】変更
【補正の内容】
【０００８】
本発明に係るブリスター包装体は、
被収容物を収容した収容部と該収容部の周囲に配されたフランジ部とを有する成型シートと、
前記フランジ部に接着されることにより前記収容部を密封した蓋材とを備え、
前記フランジ部には、突出部が形成され、
前記突出部よりも外側に、前記蓋材と接着されていない非接着領域または他の接着領域よりも弱い接着力で前記蓋材と接着された弱接着領域が形成され、
前記突出部よりも外側に位置する前記非接着領域または弱接着領域に、前記フランジ部を内側部分と外側部分とに部分的に分断するスリットが形成されてなるブリスター包装体であって、
前記フランジ部の前記外側部分が前記スリットを境界として前記フランジ部の前記内側部分から離間するように前記成型シートを折り曲げることにより、前記フランジ部の前記外側部分の折れ曲がりに追従して前記蓋材が剥離され、それによって前記収容部が開封される、ブリスター包装体である。